(57)【特許請求の範囲】
【請求項１】
液体化粧料容器における筆軸挿入用の口部内側に、筆軸に付着した化粧料を扱く可撓性のワイパーを内側に周設した合成樹脂製円筒形状の中栓が嵌着された液体化粧料塗布具において、前記ワイパーは、前記化粧料容器内下方に向けて延出する先すぼまり円筒型であって、先端扱き部の内径がそれぞれ同一で延出量の異なる複数の半円筒型のワイパー領域が周方向側縁部において連接一体化されて、それぞれのワイパー領域の先端扱き部が軸方向にオフセットするとともに、前記連接部では、それぞれのワイパー領域の先端扱き部が軸方向に重合して、該連接部における扱き部重合領域の内周面に、重合する先端扱き部に挟まれた周方向に延びる段差である斜め下向きに開口するＶ溝が形成された構造で、前記それぞれのワイパー領域の先端扱き部は、前記容器内に挿入された前記筆軸の軸部外周面に押されて半径方向外方に弾性変形して前記筆軸の軸部外周面に密着し、変形して潰れた前記Ｖ溝と前記筆軸の軸部外周面との間に、前記ワイパーの上下の空間を連通状態にする周方向に延びる空気通路である断面縦長の微小隙間が形成されることを特徴とする液体化粧料塗布具。
【請求項２】
前記ワイパーの周方向ほぼ等分複数個所に前記扱き部重合領域が形成されたことを特徴とする請求項１に記載の液体化粧料塗布具。
【発明の詳細な説明】
【０００１】
【発明の属する技術分野】
本発明は、例えばリップグロス塗布具やマスカラ塗布具などの液体化粧料塗布具に係わり、特に、液体化粧料容器の筆軸挿入用の口部内側に、筆軸に付着した化粧料を扱くワイパーが周設された液体化粧料塗布具に関する。
【０００２】
【従来の技術】
この種の液体化粧料塗布具は、図１５に示すように、液体化粧料１が収容された容器２と、この容器２の口部３に挿着できるキャップ６を兼ねる筆軸５とから構成されている。化粧料容器の口部３の内周には、樹脂やゴム等の可撓性部材で構成されたワイパー４が周設されており、化粧料容器２（の口部３）から筆軸５を抜き出す際に、その軸部５ａに付着した化粧料をワイパー４の扱き部４ａが扱き落とすようになっている。符号５ｂは筆軸５の筆毛部である。
【０００３】
【発明が解決しようとする課題】
しかし、ワイパー４は、筆軸５の軸部５ａに付着した化粧料を確実に扱き落とすことができるように、扱き部４ａの内径が筆軸の軸部５ａの外形より僅かに小さくされて、ワイパー４の扱き部４ａが筆軸の軸部５ａに密着するように構成されている。このため、筆軸５を容器２内に挿入する際に、容器２内の圧力が増し、内部の化粧料１が押し出されたり、筆軸５が押し戻されるという、いわゆるポンピング現象が起きるという問題があった。また、筆軸５を抜き出す際には、容器２内が負圧となって筆軸５の抜き出しを妨げる抵抗として作用し、筆軸５をスムーズに抜き出し難いという問題もあった。
【０００４】
そこで、図１６に示すように、ワイパー４の扱き部４ａに半径方向に延びる切り込み（スリット）４ａ１を入れて、筆軸５を出し入れする際にこの切り込み（スリット）４ａ１を介して空気が抜けて容器２内の圧力が変化しないようにして、ポンピング現象を回避するという、液体化粧料塗布具が提案されている。
【０００５】
しかし、前記した第２の従来技術（図１６参照）では、ワイパー４の扱き部４ａに切り込み（スリット）４ａ１があるため、軸部５ａに付着した化粧料の扱き残しが出るという問題がある。
【０００６】
本発明は、前記した従来技術の問題点に鑑みなされたもので、その目的は、ワイパーの扱き作用を低下させることなく、ポンピング現象を回避できる液体化粧料塗布具を提供することにある。
【０００７】
【課題を解決するための手段】
前記目的を達成するために、請求項１に係る液体化粧料塗布具においては、
液体化粧料容器における筆軸挿入用の口部内側に、筆軸に付着した化粧料を扱く可撓性のワイパーを内側に周設した合成樹脂製円筒形状の中栓が嵌着された液体化粧料塗布具において、前記ワイパーは、前記化粧料容器内下方に向けて延出する先すぼまり円筒型であって、先端扱き部の内径がそれぞれ同一で延出量の異なる複数の半円筒型のワイパー領域が周方向側縁部において連接一体化されて、それぞれのワイパー領域の先端扱き部が軸方向にオフセットするとともに、前記連接部では、それぞれのワイパー領域の先端扱き部が軸方向に重合して、該連接部における扱き部重合領域の内周面に、重合する先端扱き部に挟まれた周方向に延びる段差である斜め下向きに開口するＶ溝が形成された構造で、前記それぞれのワイパー領域の先端扱き部は、前記容器内に挿入された前記筆軸の軸部外周面に押されて半径方向外方に弾性変形して前記筆軸の軸部外周面に密着し、変形して潰れた前記Ｖ溝と前記筆軸の軸部外周面との間に、前記ワイパーの上下の空間を連通状態にする周方向に延びる空気通路である断面縦長の微小隙間が形成されるように構成した。
【０００８】
（作用）扱き部の周方向の一部領域が軸方向にオフセットした構造のワイパーでは、扱き部が軸方向にオフセットしていない従来のワイパーに比べて、筆軸（の軸部）に圧接される扱き部の可撓性が高められて、筆軸の軸方向への摺動性が良好となる。
【０００９】
また、筆軸（の軸部）外周面にワイパーの扱き部が密着する状態において、筆軸（の軸部）外周面とワイパーの扱き部重合領域との密着部には、重合する扱き部に挟まれた周方向に延びる溝によって、ワイパーの上方空間と下方空間に連通する微小隙間（空気通路）が形成される。
【００１０】
即ち、筆軸を容器内に挿入する際には、筆軸（の軸部）外周面にワイパーの扱き部が密着する状態で押し込まれるが、筆軸（の軸部）外周面と扱き部重合領域内周面間の微小隙間（空気通路）を介して容器内の空気が抜けるので、容器内の圧力が特に高くなることがない（ポンピング現象が起こらない）。
【００１１】
一方、筆軸を容器から抜き出す際には、筆軸（の軸部）外周面にワイパーの扱き部が密着する状態で抜き出されて、ワイパーの扱き部が筆軸（の軸部）に付着している化粧料を扱き落とす。ワイパーの扱き部重合領域内周面に形成された空気抜き用の溝は、周方向に延びてワイパーの上下の空間に連通するが、軸方向には開口していないため、ワイパーの扱き部の内周面は周方向に切れ目なく連続し、扱き部が筆軸（の軸部）に付着している化粧料を扱き残すおそれはない。また、筆軸を容器から抜き出す際には、筆軸外周面にワイパーの扱き部が密着する状態で抜き出されるが、筆軸（の軸部）外周面と扱き部重合領域間の微小隙間（空気通路）を介して、容器内に空気（外気）が侵入できるので、容器内の圧力が負圧になって筆軸の抜き出しに対する抵抗として作用することもない。
【００１２】
請求項２においては、請求項１記載の液体化粧料塗布具において、前記ワイパーの周方向ほぼ等分複数個所に前記扱き部重合領域を形成するように構成した。
【００１３】
（作用）筆軸（の軸部）外周面にワイパーの扱き部が密着する状態において、ワイパーの上方空間と下方空間は、ワイパーの扱き部と筆軸（の軸部）との密着部の周方向ほぼ等分複数個所に形成される微小隙間（空気通路）を介して連通するので、筆軸の容器への出し入れに伴う空気の給排により筆軸とワイパー間に偏荷重が生じないし、空気の給排速度も速い。
【００１４】
【００１５】
【００１６】
【００１７】
【００１８】
【００１９】
【発明の実施の形態】
次に、本発明の実施の形態を実施例に基づいて説明する。
【００２０】
図１〜図１０は本発明の第１の実施例を示すもので、図１は本発明の第１の実施例である液体化粧料塗布具の縦断面図、図２は同塗布具の要部であるワイパーの拡大平面図、図３（ａ）は同ワイパーの拡大縦断面図、図３（ｂ）は同ワイパーの形状を説明する説明図、図４は同ワイパーの拡大底面図、図５は同ワイパーの扱き部重合領域位置の拡大縦断面図（図２，３（ａ）に示す線Ｖ−Ｖに沿う断面図）、図６は同ワイパーの扱き部重合領域近傍位置の拡大縦断面図（図２，３（ａ）に示す線ＶI−ＶIに沿う断面図）、図７は扱き部の重合領域をさらに拡大して示す断面図、図８は筆軸の軸部外周面と扱き部の重合領域内周面間に形成された微小隙間（空気通路）を示す断面図、図９はワイパーの扱き部周辺の拡大斜視図、図１０はワイパーの扱き部の重合領域周辺の拡大斜視図である。
【００２１】
これらの図において、符号１０は上方に開口し、内部にリップグロス液１１が収容されている円筒形状の細長い化粧料容器で、容器１０の内径より小さい筆軸挿入用の口部１２の外周には雄ねじ部１３が形成されて、筆軸３０に一体化したキャップ３２の雌ねじ部３３が螺合できるように構成されている。
【００２２】
一方、口部１２の内側には、可撓性に富む合成樹脂製の円筒形状の中栓１４が嵌着されており、容器１０内に突出する中栓１４の内側下端部寄りには、筆軸３０の軸部３６を抜き出す際に、軸部３６に付着したリップグロス液１３を扱き落として清掃するとともに、筆毛３８に付着したリップグロス液１１を扱いて適正な量とするワイパー１５が形成されている。即ち、ワイパー１５は、中栓１４の内側から斜め下方に延出して下端側程口径が小さい先細円筒型に形成され、その先端部は、筆軸の軸部３６外表面に密着して軸部３６に付着したリップグロス液を扱く扱き部１７を構成している。
【００２３】
ワイパー１５は、図３（ｂ）実線に示すような、先端扱き部の内径がＤである先細円筒型ワイパーにおける先端扱き部の周方向ほぼ半分の部分を、軸方向（矢印方向）に所定長さｄだけオフセットさせて、先端扱き部の内径がＤで延出量が大きい半円筒型の第１のワイパー領域１６Ａと、図３（ｂ）に示すように、先端扱き部の内径がＤで延出量が小さい半円筒型の第２のワイパー領域１６Ｂとがそれぞれ周方向側縁部において連接一体化された構造で、この連接部では、図３（ａ），５，６に示すように、第１，第２のワイパー領域１６Ａ，１６Ｂの扱き部１７Ａ，１７Ｂが軸方向に重合して、この扱き部重合領域の内周面には、２つの扱き部１７Ａ，１７Ｂで上下に挟まれて周方向に延びる段差である溝１８が形成されている。そして、容器１０内に挿入された筆軸３０の軸部３６外周面とこれに密着する扱き部重合領域の内周面との間には、図８に示すように、周方向に延びてワイパー１５の上下の空間Ｓ１，Ｓ２に連通する微小隙間（空気通路）１９が形成されるようになっている。
【００２４】
即ち、図７は、扱き部重合領域における第１の扱き部１７Ａおよび第２の扱き部１７Ｂと容器１０内に挿入される筆軸の軸部３６外周面との位置関係を示す図であるが、この図７に示すように、第１，第２の扱き部１７Ａ，１７Ｂの内径Ｄは、筆軸の軸部３６の外径Ｄ１よりも幾分小さいので、第１，第２の扱き部１７Ａ，１７Ｂは、容器１０内に挿入された状態の筆軸の軸部３６に押されて半径方向外方に弾性変形し、第１，第２の扱き部１７Ａ，１７Ｂがそれぞれ筆軸の軸部３６外周面に密着した状態となる。そして、ワイパーの扱き部重合領域の内周面と筆軸の軸部３６外周面間には、図８に示すように、溝１８と軸部３６外周面で画成された微小隙間（空気通路）１９が形成されて、ワイパー１５の上下の空間Ｓ１，Ｓ２がこの微小隙間（空気通路）１９を介して連通した状態となる。
【００２５】
このため、筆軸３０を容器１０内に挿入する際には、軸部３６はその外周面にワイパー１５の扱き部が密着する状態で押し込まれるが、軸部３６外周面と扱き部重合領域間の微小隙間（空気通路）１９を介して容器１０内の空気が抜けるので、容器１０内の圧力が高くなるというポンピング現象が起こらない。
【００２６】
また、筆軸３０を容器１０から抜き出す際には、軸部３６の外周面にワイパーの扱き部が密着する状態で抜き出されて、ワイパーの扱き部が軸部３６に付着しているリップグロス液を扱き落とす。そして、扱き部１７Ａ，１７Ｂは、軸方向にｄだけオフセットして、軸方向には連続していないが、第１，第２のワイパー領域１６Ａ，１６Ｂの連接部において軸方向に重合して、円周方向には扱き部１７Ａ，１７Ｂが切れ目なく連続する形態となっている。このため、筆軸３０の軸部３６の外周面全周囲が扱き部１７Ａ，１７Ｂによって均等に扱かれるので、軸部３６に付着しているリップグロス液を扱き残すおそれはない。
【００２７】
また、筆軸３０を容器１０から抜き出す際には、軸部３６外周面にワイパーの扱き部１７Ａ，１７Ｂが密着する状態で抜き出されるが、軸部３６外周面と扱き部重合領域間に形成される微小隙間（空気通路）１９を介して、容器１０内に空気（外気）が侵入できるので、容器１０内の圧力が負圧になって筆軸３０の抜き出しに対する抵抗として作用することがなく、筆軸３０をスムーズに抜き出すことができる。
【００２８】
また、ワイパー１５における扱き部重合領域は、周方向等分２個所に設けられて、筆軸の軸部３６の外周面にワイパーの扱き部１７Ａ，１７Ｂが密着する状態における空気通路１９も周方向等分２個所に形成される。このため、筆軸３０の容器１０への出し入れに伴う空気の給排により筆軸３０とワイパー１４間に偏荷重が生じないし、空気の給排速度も速く、筆軸３０のスムーズな出し入れが可能となる。
【００２９】
図１１，１２は、本発明の第２の実施例である液体化粧料塗布具を示し、図１１は同塗布具の要部であるワイパーの拡大平面図、図１２は同ワイパーの縦断面図（図１１に示す線XII-XIIに沿う断面図）である。
【００３０】
この第２の実施例では、第１の実施例における扱き部１７Ａ，１７Ｂと同様に、先端扱き部の内径がＤである先細円筒型ワイパーにおける先端扱き部の周方向ほぼ１／３の部分を、図３（ｂ）実線に示すように、順次軸方向（矢印方向）に所定長さｄだけオフセットさせて、最下段の第１のワイパー領域１６Ｃと中段の第２のワイパー領域１６Ｄと最上段の第３のワイパー領域１６Ｅがそれぞれ周方向側縁部において連接一体化された構造で、各連接部には、隣接するワイパー領域の扱き部（１７Ｃと１７Ｄ、１７Ｄと１７Ｅ、１７Ｅと１７Ｃ）がそれぞれ軸方向に重合している。そして、それぞれの扱き部重合領域（周方向等分３個所の扱き部重合領域）の内周面には、重合する扱き部で挟まれた溝１８が形成されている。
【００３１】
この実施例では、ワイパー１５の上下の空間Ｓ１，Ｓ２に連通する空気抜用の空気通路が周方向等分３個所に形成されるため、それだけ筆軸３０を容器１０内に挿入したり抜き出したりする際に、筆軸３０（の軸部３６）とワイパー１５間に偏荷重が生じないし、微小隙間１８を介しての空気の給排速度も速いので、筆軸３０の出し入れがスムーズとなる。
【００３２】
図１３，１４は、本発明の第３の実施例である液体化粧料塗布具を示し、図１３は同塗布具の要部であるワイパーの拡大平面図、図１４は同ワイパーの縦断面図（図１３に示す線XIV-XIVに沿う断面図）である。
【００３３】
この第３の実施例では、第１の実施例における扱き部１７Ａ，１７Ｂと同様に、先端扱き部の内径がＤである先細円筒型ワイパーにおける先端扱き部を周方向にほぼ４等分し、図３（ｂ）実線に示すように、周方向に隣接する部分が軸方向に互い違いになるように所定長さｄだけオフセットさせるとともに、隣接するワイパー領域がそれぞれ周方向側縁部において連接一体化された構造で、各連接部には、隣接するワイパー領域の扱き部がそれぞれ軸方向に重合している。そして、周方向等分４個所に形成された扱き部重合領域の内周面には、重合する扱き部で挟まれた溝が形成されている。
【００３４】
即ち、それぞれ対向する位置にある下段の第１のワイパー領域１６Ｆと上段の第２のワイパー領域１６Ｇの連接部には、それぞれの扱き部１７Ｆと１７Ｇが重合して、ワイパー１５の上下の空間Ｓ１，Ｓ２を連通させる空気通路を構成する溝１８が形成されている。
【００３５】
そして、この実施例では、ワイパー１５の上下の空間Ｓ１，Ｓ２に連通する空気抜用の空気通路が周方向等分４個所に形成されるため、それだけ筆軸３０を容器１０に挿入したり抜き出したりする際に、筆軸３０とワイパー１５間に偏荷重が生じないし、微小隙間１８を介しての空気の給排速度も速いので、筆軸３０の出し入れがスムーズとなる。
【００３６】
【００３７】
【００３８】
【００３９】
【００４０】
【００４１】
【００４２】
なお、前記実施例では、本発明をリップグロス塗布具について説明したが、マスカラ塗布具その他の液体化粧料塗布具にも同様に適用できることはいうまでもない。
【００４３】
【発明の効果】
以上の説明から明かなように、請求項１に係る液体化粧料塗布具によれば、ワイパーの扱き部の可撓性が高められて、筆軸の軸方向への摺動性が良好となって、筆軸の容器への出し入れがスムーズになる。
【００４４】
また、筆軸を容器内に挿入する際にポンピング現象が起こらないので、ポンピング現象に起因する種々の問題が解消される。
【００４５】
また、筆軸を容器から抜き出す際に容器内の圧力が負圧となって筆軸の抜き出しを妨げることがないので、筆軸を容器からスムーズに抜き出すことができる等、化粧料塗布具の取り扱いが容易となる。
【００４６】
また、筆軸（の軸部）外周面とワイパーの扱き部内周面が周方向に隙間なく密着した形態で筆軸が抜き出されるので、筆軸（の軸部）に付着している化粧料を残さず確実に扱き落とすことができる。
【００４７】
請求項２によれば、筆軸を挿入したり抜き出したりする際に、筆軸とワイパー間に偏荷重が生じないし、微小隙間を介しての空気の給排速度も速いので、筆軸の容器への出し入れがスムーズとなる。
【００４８】
【００４９】
【００５０】
【００５１】
【図面の簡単な説明】
【図１】  本発明の第１の実施例である液体化粧料塗布具の縦断面図である。
【図２】  同塗布具の要部であるワイパーの拡大平面図である
【図３】  （ａ）同ワイパーの拡大縦断面図である。  （ｂ）は同ワイパーの形状を説明する説明図である。
【図４】  同ワイパーの拡大底面図である。
【図５】  同ワイパーの扱き部重合領域位置の拡大縦断面図（図２，３（ａ）に示す線Ｖ−Ｖに沿う断面図）である。
【図６】  同ワイパーの扱き部重合領域近傍位置の拡大縦断面図（図２，３（ｂ）に示す線ＶI−ＶIに沿う断面図）である。
【図７】  扱き部の重合領域をさらに拡大して示す断面図である。
【図８】  筆軸の軸部外周面と扱き部の重合領域内周面間に形成された微小隙間（空気通路）を示す断面図である。
【図９】  ワイパーの扱き部周辺の拡大斜視図である。
【図１０】  ワイパーの扱き部の重合領域周辺の拡大斜視図である。
【図１１】  本発明の第２の実施例である液体化粧料塗布具の要部であるワイパーの拡大平面図である。
【図１２】  同ワイパーの縦断面図（図１１に示す線XII-XIIに沿う断面図）である。
【図１３】  本発明の第３の実施例である液体化粧料塗布具の要部であるワイパーの拡大平面図である。
【図１４】  同ワイパーの縦断面図（図１３に示す線XIV-XIVに沿う断面図）である。
【図１５】  第１の従来技術である液体化粧料塗布具の断面図である。
【図１６】  第２の従来技術である液体化粧料塗布具の要部拡大断面図である。
【符号の説明】
１０  化粧料容器
１１  液体化粧料であるリップグロス液
１２  筆軸挿入用の口部
１４  中栓
１５  ワイパー
１６Ａ，１６Ｂ，１６Ｃ，１６Ｄ，１６Ｅ，１６Ｆ，１６Ｇ  ワイパー領域
１７，１７Ａ，１７Ｂ，１７Ｃ，１７Ｄ，１７Ｅ，１７Ｆ，１７Ｇ  ワイパーの扱き部
１８  扱き部重合領域の内周面に形成された溝
１９  微小隙間（空気通路）
３０  筆軸
３６  筆軸の軸部
【図１】
0003854824.tif 000002
【図２】
0003854824.tif 000003
【図３】
0003854824.tif 000004
【図４】
0003854824.tif 000005
【図５】
0003854824.tif 000006
【図６】
0003854824.tif 000007
【図７】
0003854824.tif 000008
【図８】
0003854824.tif 000009
【図９】
0003854824.tif 000010
【図１０】
0003854824.tif 000011
【図１１】
0003854824.tif 000012
【図１２】
0003854824.tif 000013
【図１３】
0003854824.tif 000014
【図１４】
0003854824.tif 000015
【図１５】
0003854824.tif 000016
【図１６】
0003854824.tif 000017